(57)【特許請求の範囲】
【請求項１】
書類を綴じる綴じ部材が取り付けられる取付用突出片をそれ
ぞれ両端部から突出させた綴じ具を、背表紙の裏面に固着したファイルにおいて、
前記綴じ具の両端部から前記取付用突出片の外側にそれぞれ突出する補強用突出片を、前記背表紙の裏面に固着したこと、
を特徴とするファイル。
【請求項２】
請求項１に記載のファイルにおいて、
前記綴じ具の前記取付用突出片寄りの内縁部は、前記背表紙の裏面に溶着されており、
前記補強用突出片の前記取付用突出片寄りの縁部は、前記背表紙の裏面に溶着されていること、
を特徴とするファイル。
【請求項３】
請求項１又は請求項２に記載のファイルにおいて、
前記補強用突出片は、前記取付用突出片に綴じ部材を取り付けて、ファイルを閉じたときに、この綴じ部材とファイル表紙の裏面との間に位置すること、
を特徴とするファイル。
【請求項４】
請求項１から請求項３までのいずれか１項に記載のファイル
において、
前記取付用突出片は、略四角形状の第１樹脂シートと、この第１樹脂シートと略同一形状の第２樹脂シートとに形成した２本の平行な折り曲げ線をそれぞれ折り曲げてなる折り曲げ片を、互いに重なり合うように溶着された部分であり、
前記補強用突出片は、前記第１樹脂シート側の前記折り曲げ線と前記折り曲げ片以外の前記第１樹脂シートに形成された略コ字状の切り込み線とに囲まれた領域を、この折り曲げ線で折り返した部分であり、
前記第２樹脂シートは、折り返し後の前記領域に形成された開口部を通じて、
前記折り曲げ線寄りの内縁部が前記背表紙の裏面に溶着されていること、
を特徴とするファイル。
【請求項５】
書類を綴じる綴じ部材が取り付けられる取付用突出片をそれ
ぞれ両端部から突出させた綴じ具を、背表紙の裏面に固着する第１の固着工程と、
前記綴じ具の両端部から前記取付用突出片の外側にそれぞれ突出する補強用突出片を、前記背表紙の裏面に固着する第２の固着工程と、
を含むことを特徴とするファイルの製造方法。
【請求項６】
請求項５に記載のファイルの製造方法において、
前記第１の固着工程は、前記綴じ具の前記取付用突出片寄りの縁部を、前記背表紙の裏面に溶着する工程であり、
前記第２の固着工程は、前記補強用突出片の前記取付用突出片寄りの縁部を、
前記背表紙の裏面に溶着する工程であること、
を特徴とするファイルの製造方法。
【請求項７】
請求項５又は請求項６に記載のファイルの製造方法において、
前記第１の固着工程は、
略四角形状の第１樹脂シートと、この第１樹脂シートと略同一形状である第２樹脂シートとに形成した２本の平行な折り曲げ線をそれぞれ折り曲げて折り曲げ片を形成する工程と、
前記第１樹脂シートの前記折り曲げ線と前記折り曲げ片以外の前記第１樹脂シートに形成された略コ字状の切り込み線とで囲まれた領域をこの折り曲げ線で折り返して、前記補強用突出片を形成する工程と、
前記第１樹脂シートの折り曲げ片と前記第２樹脂シートの折り曲げ片を互いに重なり合うように溶着して、前記取付用突出片を形成する工程と、
折り返し後の前記領域に形成された開口部を通じて、前記第２樹脂シートの前記折り曲げ線寄りの縁部を前記背表紙の裏面に溶着する工程とを含み、
前記第２の固着工程は、前記折り曲げ片の前記折り曲げ線寄りの縁部を前記背表紙の裏面に溶着する工程を含むこと、
を特徴とするファイルの製造方法。
【発明の詳細な説明】
【０００１】
【発明の属する技術分野】
本発明は、書類を綴じる綴じ具を背表紙の裏面に有するファイルに関するものである。
【０００２】
【従来の技術】
従来より、取付用突出片をそれぞれ両端部に設けた綴じ具を合成樹脂シートなどによって形成し、この綴じ具を背表紙の裏面に溶着したファイルが知られている。このようなファイルは、取付用突出片に綴じ部材が固定されており、この綴じ部材によって書類を綴じ込んでいた。
【０００３】
【発明が解決しようとする課題】
しかし、従来のファイルは、綴じ込まれる用紙の枚数が増加すると、背表紙の裏面と綴じ具との間の溶着部分に過大な負荷がかかり、背表紙から綴じ具が剥離したり破損するおそれがあった。一方、このような問題を解決するするために、綴じ具と背表紙とをリベットなどによって強固に締結すると、リベットのかしめ部分が露出して、ファイルの外観を損ねてしまうという問題があった。
【０００４】
本発明の課題は、背表紙の裏面に綴じ具を強固に固着することができるとともに、美観を向上させることができるファイルを提供することである。
【０００５】
【課題を解決するための手段】
本発明は、以下のような解決手段により、前記課題を解決する。
すなわち、請求項１の発明は、書類を綴じる綴じ部材が取り付けられる取付用突出片をそれぞれ両端部から突出させた綴じ具を、背表紙の裏面に固着したファイルにおいて、前記綴じ具の両端部から前記取付用突出片の外側にそれぞれ突出する補強用突出片を、前記背表紙の裏面に固着したことを特徴とするファイルである。
【０００６】
請求項２の発明は、請求項１に記載のファイルにおいて、前記綴じ具の前記取付用突出片寄りの内縁部は、前記背表紙の裏面に溶着されており、前記補強用突出片の前記取付用突出片寄りの縁部は、前記背表紙の裏面に溶着されていることを特徴とするファイルである。
【０００７】
請求項３の発明は、請求項１又は請求項２に記載のファイルにおいて、前記補強用突出片は、前記取付用突出片に綴じ部材を取り付けて、ファイルを閉じたときに、この綴じ部材とファイル表紙の裏面との間に位置することを特徴とするファイルである。
【０００８】
請求項４の発明は、請求項１から請求項３までのいずれか１項に記載のファイルにおいて、前記取付用突出片は、略四角形状の第１樹脂シートと、この第１樹脂シートと略同一形状の第２樹脂シートとに形成した２本の平行な折り曲げ線をそれぞれ折り曲げてなる折り曲げ片を、互いに重なり合うように溶着された部分であり、前記補強用突出片は、前記第１樹脂シート側の前記折り曲げ線と前記折り曲げ片以外の前記第１樹脂シートに形成された略コ字状の切り込み線とに囲まれた領域を、この折り曲げ線で折り返した部分であり、前記第２樹脂シートは、折り返し後の前記領域に形成された開口部を通じて、前記折り曲げ線寄りの内縁部が前記背表紙の裏面に溶着されていることを特徴とするファイルである。
【０００９】
請求項５の発明は、書類を綴じる綴じ部材が取り付けられる取付用突出片をそれぞれ両端部から突出させた綴じ具を、背表紙の裏面に固着する第１の固着工程と、前記綴じ具の両端部から前記取付用突出片の外側にそれぞれ突出する補強用突出片を、前記背表紙の裏面に固着する第２の固着工程とを含むことを特徴とするファイルの製造方法である。
【００１０】
請求項６の発明は、請求項５に記載のファイルの製造方法において、前記第１の固着工程は、前記綴じ具の前記取付用突出片寄りの縁部を、前記背表紙の裏面に溶着する工程であり、前記第２の固着工程は、前記補強用突出片の前記取付用突出片寄りの縁部を、前記背表紙の裏面に溶着する工程であることを特徴とするファイルの製造方法である。
【００１１】
請求項７の発明は、請求項５又は請求項６に記載のファイルの製造方法において、前記第１の固着工程は、略四角形状の第１樹脂シートと、この第１樹脂シートと略同一形状である第２樹脂シートとに形成した２本の平行な折り曲げ線をそれぞれ折り曲げて折り曲げ片を形成する工程と、前記第１樹脂シートの前記折り曲げ線と前記折り曲げ片以外の前記第１樹脂シートに形成された略コ字状の切り込み線とで囲まれた領域をこの折り曲げ線で折り返して、前記補強用突出片を形成する工程と、前記第１樹脂シートの折り曲げ片と前記第２樹脂シートの折り曲げ片を互いに重なり合うように溶着して、前記取付用突出片を形成する工程と、折り返し後の前記領域に形成された開口部を通じて、前記第２樹脂シートの前記折り曲げ線寄りの縁部を前記背表紙の裏面に溶着する工程とを含み、前記第２の固着工程は、前記折り曲げ片の前記折り曲げ線寄りの縁部を前記背表紙の裏面に溶着する工程を含むことを特徴とするファイルの製造方法である。
【００１２】
【発明の実施の形態】
以下、図面を参照して、本発明の実施形態についてさらに詳しく説明する。
図１は、本発明の実施形態に係るファイルを背表紙の裏面側から見た斜視図であり、図２は、本発明の実施形態に係るファイルを背表紙の幅方向で切断した状態を示す部分断面図である。
【００１３】
ファイル１は、書類を綴じる綴じ具１３を背表紙１０の裏面に有するバインダなどであり、図１及び図２に示すように、背表紙１０と、表紙１１，１２と、綴じ具１３と、綴じ部材１４とを備えている。
【００１４】
背表紙１０は、ファイル１の背部分を構成する芯材であり、表紙１１，１２は、ファイル１の平部分を構成する芯材である。図２に示すように、背表紙１０及び表紙１１，１２は、これらの周囲で互いに溶着された合成樹脂シート１０ａと合成樹脂シート１０ｂとの間に挟み込まれており、表紙１１，１２は、背表紙１０の高さ方向に沿った両縁部にそれぞれ開閉自在に連結されている。
【００１５】
綴じ具１３は、背表紙１０の裏面に綴じ部材１４を固定するための部材であり、取付用突出片１３ａ，１３ｂ寄りの内縁部とが、合成樹脂シート１０ｂに溶着されている。この綴じ具１３は、取付用突出片１３ａ，１３ｂと、補強用突出片１３ｃ，１３ｄとを備えている。
【００１６】
取付用突出片１３ａ，１３ｂは、綴じ部材１４を取り付けるための部分である。この取付用突出片１３ａ，１３ｂは、綴じ具１３の両端部からそれぞれ突出しており、取付用突出片１３ａと取付用突出片１３ｂとの間に綴じ部材１４が取り付けられている。また、取付用突出片１３ａ，１３ｂには、図２に示すように、それぞれ芯材となる板紙１３ｅ，１３ｆが挟み込まれている。
【００１７】
補強用突出片１３ｃ，１３ｄは、背表紙１０の裏面に固着され、綴じ具１３と背表紙１０との間の固着力を強化するための部分である。この補強用突出片１３ｃ，１３ｄは、取付用突出片１３ａ，１３ｂの外側に綴じ具１３の両端部からそれぞれ突出している。補強用突出片１３ｃは、取付用突出片１３ａ寄りの縁部が合成樹脂シート１０ｂに溶着されており、補強用突出片１３ｄは、取付用突出片１３ｂ寄りの縁部が合成樹脂シート１０ｂに溶着されている。補強用突出片１３ｃ，１３ｄは、綴じ部材１４に書類が綴じ込まれて、補強用突出片１３ａ，１３ｂに負荷がかかったときに、合成樹脂シート１０ｂから綴じ具１３が剥離したり破けたりしないように、綴じ具１３と背表紙１０との間の固着力を強化する。また、補強用突出片１３ｃ，１３ｄは、ファイル１を閉じたときに、取付用突出片１３ａ，１３ｂの外側に露出した綴じ部材１４の両端部が表紙１１，１２と直接接触しないように、取付用突出片１３ａ，１３ｂと表紙１１，１２との間に位置づけられている。
【００１８】
綴じ部材１４は、書類の縁部に形成された２つの綴じ孔を貫通して、書類を綴じ込むピンである。この綴じ部材１４は、取付用突出片１３ａ，１３ｂに両端部が固定されている。綴じ部材１４は、一方の端部が止めねじであり、この止めねじを緩めることで取付用突出片１３ａ，１３ｂから外れて、書類の綴じ込み作業や取り外し作業を行うことができる。
【００１９】
次に、本発明の実施形態に係るファイルの製造方法を説明する。
図３は、本発明の実施形態に係るファイルの分解図である。
合成樹脂シート１０ａと合成樹脂シート１０ｂとを重ね合わせて、これらの間に背表紙１０及び表紙１１，１２を挟み込み、合成樹脂シート１０ａと合成樹脂シート１０ｂとを溶着部１０ｃ，１０ｄに沿って溶着する。
【００２０】
一方、２本の平行な折り曲げ線１５ｃ，１５ｄを四角形状の合成樹脂シート１５に形成し、この折り曲げ線１５ｃ，１５ｄで合成樹脂シート１５を折り曲げて、折り曲げ片１５ａ，１５ｂが形成される。また、合成樹脂シート１５の折り曲げ片１５ａ，１５ｂ以外の部分に略コ字状の切り込み線１５ｅ，１５ｆを形成し、折り曲げ線１５ｃ，１５ｄと切り込み線１５ｅ，１５ｆとに囲まれた領域を、この折り曲げ線１５ｃ，１５ｄで折り返して、図１及び図２に示す補強用突出片１３ｃ，１３ｄが形成される。
【００２１】
また、合成樹脂シート１５と略同一形状である合成樹脂シート１６を折り曲げ線１６ｃ，１６ｄで折り曲げて、折り曲げ片１６ａ，１６ｂが形成される。そして、折り曲げ片１５ａ，１５ｂと折り曲げ片１６ａ，１６ｂとを重ね合わせて、これらの間に板紙１３ｅ，１３ｆを挟み込み、折り曲げ片１５ａ，１５ｂと折り曲げ片１６ａ，１６ｂとを溶着部１６ｇ，１６ｈ，１６ｇ，１６ｈに沿って溶着して、取付用突出片１３ａ，１３ｂが形成される。そして、綴じ部材１４を取り付けるために、図示しない貫通孔が取付用突出片１３ａ，１３ｂに形成される。
【００２２】
次に、折り曲げ片１５ａ，１５ｂを折り曲げた後に、合成樹脂シート１５に形成される開口部１５ｉ，１５ｊを通じて、合成樹脂シート１６の折り曲げ線１６ｃ，１６ｆ寄りの内縁部に沿って、合成樹脂シート１０ｂに溶着部１６ｅ，１６ｆが溶着される。さらに、補強用突出片１３ｃ，１３ｄと合成樹脂シート１０ｂとが溶着部１５ｋ，１５ｍに沿って溶着される。その結果、合成樹脂シート１０ｂに綴じ具１３が固着される。図２に示すように、溶着部１５ｋ，１５ｍは、背表紙１０の両縁の溶着部１０ｃ，１０ｄ（背表紙１０と表紙１１，１２との連結部）と対応する位置であるために、背表紙１０及び表紙１１，１２によって溶着時の熱が遮断されるのを防止することができる。
【００２３】
本発明の実施形態に係るファイルは、以下に記載するような効果を有する。
（１）  本発明の実施形態では、綴じ具１３の両端部から取付用突出片１３ａ，１３ｂの外側に、それぞれ突出する補強用突出片１３ｃ，１３ｄを、合成樹脂シート１０ｂに溶着している。このために、綴じ具１３と背表紙１０との取付強度を向上させることができる。その結果、綴じ部材１４に書類が綴じ込まれて、取付用突出片１３ａ，１３ｂに過大な負荷がかかったときに、合成樹脂シート１０ｂから綴じ具１３が剥離したり破損するのを防止することができる。また、リベットなどによって綴じ具１３を背表紙１０に固定する必要がなくなって、ファイル１の外観品質を向上させることができる。
【００２４】
（２）  本発明の実施形態では、合成樹脂シート１５を折り曲げ線１５ｃ，１５ｄで折り曲げて折り曲げ片１５ａ，１５ｂを形成するとともに、折り曲げ線１５ｃ，１５ｄと切り込み線１５ｅ，１５ｆとに囲まれた領域をこの折り曲げ線１５ｃ，１５ｄで折り返して、補強用突出片１３ｃ，１３ｄを形成している。その結果、一枚の合成樹脂シート１５によって、取付用突出片１３ａ，１３ｂの一部と補強用突出片１３ｃ，１３ｄとを簡単に一体形成することができる。
【００２５】
（３）  本発明の実施形態では、合成樹脂シート１５に形成された開口部１５ｉ，１５ｊを通じて、合成樹脂シート１６を合成樹脂シート１０ｂに溶着して、合成樹脂シート１０ｂに綴じ具１３を固定する。その結果、合成樹脂シート１５によって溶着時の熱が遮断されるのを防止して、合成樹脂シート１０ｂに綴じ具１３を確実に溶着することができる。
【００２６】
本発明は、以上説明した実施形態に限定するものではなく、種々の変形又は変更が可能であって、これらも本発明の範囲内である。例えば、本発明の実施形態では、ピンにより書類を綴じる場合を例に挙げて説明したが、これに限定するものではなく、とじ紐などにより書類を綴じる場合についても本発明を適用することができる。また、合成樹脂シート１０ａ，１０ｂ，１５，１６は、塩化ビニルなどだけではなく、オレフィン系樹脂、軟質ＰＰ（ポリプロピレン）、ＰＥ（ポリエチレン）、ＥＶＡ（エチレンビニルアセテート）、ＥＭＭＡ（ＥＭＡ）などの接着強度を上げにくいものについて、本発明を適用することができる。
【００２７】
【発明の効果】
以上詳しく説明したように、本発明によれば、書類を綴じる綴じ部材が取り付けられる取付用突出片をそれぞれ両端部から突出させた綴じ具を、背表紙の裏面に固着したファイルにおいて、綴じ具の両端部から取付用突出片の外側にそれぞれ突出する補強用突出片を、背表紙の裏面に固着したので、背表紙の裏面に綴じ具を強固に固着することができる。
【図面の簡単な説明】
【図１】  本発明の実施形態に係るファイルを背表紙の裏面側から見た斜視図である。
【図２】  本発明の実施形態に係るファイルを背表紙の幅方向で切断した状態を示す部分断面図である。
【図３】  本発明の実施形態に係るファイルの分解図である。
【符号の説明】
１  ファイル
１０  背表紙
１０ａ，１０ｂ  合成樹脂シート
１０ｃ，１０ｄ  溶着部
１１，１２  表紙
１３  綴じ具
１３ａ，１３ｂ  取付用突出片
１３ｃ，１３ｄ  補強用突出片
１４  綴じ部材
１５，１６  合成樹脂シート
１５ａ，１５ｂ，１６ａ，１６ｂ  折り曲げ片
１５ｃ，１５ｄ，１６ｃ，１６ｄ  折り曲げ線
１５ｅ，１５ｆ  切り込み線
１５ｇ，１５ｈ，１６ｇ，１６ｈ  溶着部
１５ｉ，１５ｊ  開口部
１５ｋ，１５ｍ，１６ｅ，１６ｆ  溶着部
【図１】
0004330205.tif 000002
【図２】
0004330205.tif 000003
【図３】
0004330205.tif 000004